(57)【要約】【課題】計測処理および表示処理に関する設定内容を短時間で設定する。【解決手段】計測処理を実行する計測処理部と、タッチパネル１４に画像を表示させる表示処理を実行する表示処理部と、各処理に際して設定すべき設定内容を設定するためのボタン画像Ｇ２を備えた操作部と、ボタン画像Ｇ２に対する操作がされたときに選択可能な設定内容を示す選択用画像Ｇ３を表示処理部に対してタッチパネル１４に表示させると共に選択用画像Ｇ３を用いて選択された設定内容に基づいて計測処理部および表示処理部を制御する制御処理を実行する制御部とを備え、制御部は、ボタン画像Ｇ２における端部４１ａ，４１ｂに対する操作がされたときに操作に対応付けて予め定められた設定内容が選択されたとして制御処理を実行し、ボタン画像Ｇ２における中央部４２に対する操作がされたときに表示処理部に対して選択用画像Ｇ３をタッチパネル１４に表示させる。【選択図】図３
2011106854.tif 000002
【特許請求の範囲】
【請求項１】
電気信号を入力して計測処理を実行する計測処理部と、表示部に画像を表示させる表示処理を実行する表示処理部と、前記各処理に際して設定すべき設定内容を設定するための設定用ボタンを備えた操作部と、前記設定用ボタンに対する操作がされたときに選択可能な前記設定内容を示す選択用画像を前記表示処理部に対して前記表示部に表示させると共に当該選択用画像を用いて選択された当該設定内容に基づいて前記計測処理部および前記表示処理部を制御する制御処理を実行する制御部とを備えた計測機器であって、
前記制御部は、前記設定用ボタンにおける予め規定された第１位置に対する前記操作がされたときに当該操作に対応付けて予め定められた前記設定内容が選択されたとして前記制御処理を実行し、前記設定用ボタンにおける前記第１位置とは異なる第２位置に対する前記操作がされたときに前記表示処理部に対して前記選択用画像を前記表示部に表示させる計測機器。
【請求項２】
前記制御部は、前記第１位置に対する前記操作がされる度に予め定められた順序で前記設定内容が切り替えて選択されたとして前記制御処理を実行する請求項１記載の計測機器。
【請求項３】
２つの前記第１位置が前記設定用ボタンに規定され、
前記制御部は、前記２つの第１位置の一方に対する前記操作がされる度に前記予め定められた順序で前記設定内容が切り替えて選択されたとして前記制御処理を実行し、前記２つの第１位置の他方に対する前記操作がされる度に前記予め定められた順序とは逆の順序で前記設定内容が切り替えて選択されたとして前記制御処理を実行する請求項２記載の計測機器。
【請求項４】
前記設定用ボタンは、前記表示部に表示された画像で構成され、
前記制御部は、前記第１位置に対する前記操作がされたときに当該操作に対応付けて予め定められた前記設定内容を前記第２位置に表示させる請求項１から３のいずれかに記載の計測機器。
【発明の詳細な説明】
【技術分野】
【０００１】
本発明は、電気信号を入力して計測処理を実行する計測処理部、表示部に画像を表示させる表示処理を実行する表示処理部、並びに計測処理部および表示処理部を制御する制御部を備えた計測機器に関するものである。
【背景技術】
【０００２】
この種の計測機器として、特開２００７−１３２６６２号公報に開示された記録計が知られている。この記録計は、設定手段、入出力手段、制御手段、記憶手段および表示手段を備えて、温度信号や電圧信号などの入力信号の処理および表示を実行可能に構成されている。この記録計では、入力信号の処理および表示に先立ち、入力する信号のチャンネル数や測定レンジなどの各種の項目（設定内容）を設定する。各項目の設定では、メニューキーを操作して選択項目を表示させ、次いで、その中から、入力演算設定を選択した後にチャンネル選択を行う。これらの操作は、上下左右キーおよび決定キーを用いて行う。また、入力演算設定の画面（入力演算設定画面）には、入力種、レンジ、スケール、温度補償、断線検知および記録間隔などが項目として表示される。さらに各項目には、それぞれ細目が規定されており、この細目の設定は、プルダウンメニューから選択する。これらの操作も、上下左右キーおよび決定キーを用いて行う。
【先行技術文献】
【特許文献】
【０００３】
【特許文献１】特開２００７−１３２６６２号公報（第４−５頁、第１−５図）
【発明の概要】
【発明が解決しようとする課題】
【０００４】
ところが、上記の記録計には、解決すべき以下の課題がある。すなわち、上記の記録計では、上下左右キーおよび決定キーを用いて入力演算設定画面から任意の項目を選択してプルダウンメニューを表示させ、さらにそのプルダウンメニューからその項目の細目を選択して設定している。つまり、上記の記録計では、１つの項目や細目を設定する度に何回もの操作が必要となっている。一方、例えば、入力可能なチャンネル数や選択可能な測定レンジなどを既に把握している使用者にとっては、上記した入力演算設定画面やプルダウンメニューを表示させることなく直接的に所望の項目を選択することができれば、設定作業を短時間で行うことができて便利なことがある。しかしながら、上記の記録計では、項目や細目の設定に当たって入力演算設定画面やプルダウンメニューが必ず表示されるため、このような場合においても、短時間での設定作業が困難で、利便性に欠けることが課題となっている。
【０００５】
本発明は、かかる課題に鑑みてなされたものであり、計測処理および表示処理に関する設定内容を短時間で設定し得る計測機器を提供することを主目的とする。
【０００６】
上記目的を達成すべく請求項１記載の計測機器は、電気信号を入力して計測処理を実行する計測処理部と、表示部に画像を表示させる表示処理を実行する表示処理部と、前記各処理に際して設定すべき設定内容を設定するための設定用ボタンを備えた操作部と、前記設定用ボタンに対する操作がされたときに選択可能な前記設定内容を示す選択用画像を前記表示処理部に対して前記表示部に表示させると共に当該選択用画像を用いて選択された当該設定内容に基づいて前記計測処理部および前記表示処理部を制御する制御処理を実行する制御部とを備えた計測機器であって、前記制御部は、前記設定用ボタンにおける予め規定された第１位置に対する前記操作がされたときに当該操作に対応付けて予め定められた前記設定内容が選択されたとして前記制御処理を実行し、前記設定用ボタンにおける前記第１位置とは異なる第２位置に対する前記操作がされたときに前記表示処理部に対して前記選択用画像を前記表示部に表示させる。
【０００７】
また、請求項２記載の計測機器は、請求項１記載の計測機器において、前記制御部は、前記第１位置に対する前記操作がされる度に予め定められた順序で前記設定内容が切り替えて選択されたとして前記制御処理を実行する。
【０００８】
また、請求項３記載の計測機器は、請求項２記載の計測機器において、２つの前記第１位置が前記設定用ボタンに規定され、前記制御部は、前記２つの第１位置の一方に対する前記操作がされる度に前記予め定められた順序で前記設定内容が切り替えて選択されたとして前記制御処理を実行し、前記２つの第１位置の他方に対する前記操作がされる度に前記予め定められた順序とは逆の順序で前記設定内容が切り替えて選択されたとして前記制御処理を実行する。
【０００９】
また、請求項４記載の計測機器は、請求項１から３のいずれかに記載の計測機器において、前記設定用ボタンは、前記表示部に表示された画像で構成され、前記制御部は、前記第１位置に対する前記操作がされたときに当該操作に対応付けて予め定められた前記設定内容を前記第２位置に表示させる。
【発明の効果】
【００１０】
請求項１記載の計測機器では、制御部が、計測処理部によって実行される計測処理や表示処理部によって実行される表示処理に際して設定すべき設定内容を設定するための設定用ボタンにおける第１位置に対する操作がされたときに、その操作に対応付けて予め定められた設定内容が選択されたとして制御処理を実行する。このため、この計測機器では、例えば、選択可能な設定内容を使用者が既に把握しているときには、選択可能な設定内容を示す選択用画像を表示させて、その中から所望の設定内容を選択するという面倒な操作を行うことなく、第１位置に対する１回または数少ない回数の操作で所望の設定内容を直接選択することができる。したがって、この計測機器によれば、このような場合における計測処理や表示処理に関する設定内容を短時間で設定することができる。
【００１１】
また、この計測機器では、制御部が、設定用ボタンの第２位置に対する操作がされたときに、選択可能な設定内容を示す選択用画像を表示処理部に対して表示部に表示させる。このため、この計測機器によれば、選択可能な設定内容を使用者が把握していない場合であっても、必要とされる設定内容を確実に設定することができる。
【００１２】
また、請求項２記載の計測機器では、制御部が、設定用ボタンの第１位置に対する操作がされる度に予め定められた順序で設定内容が切り替えて選択されたとして制御処理を実行する。このため、この計測機器によれば、例えば、第１位置に対する操作がされる度に、昇順または降順で設定内容が切り替わるように予め定めることで、第１位置に対する操作を行う度に、設定内容を徐々に大きくまたは徐々に小さくのように設定することができるため、設定内容を所望の設定内容に変更する際の操作性を十分向上させることができる。
【００１３】
また、請求項３記載の計測機器では、２つの第１位置が設定用ボタンに規定され、制御部が、２つの第１位置の一方に対する操作がされる度に予め定められた順序で設定内容が切り替えて選択されたとして制御処理を実行し、２つの第１位置の他方に対する操作がされる度に予め定められた順序とは逆の順序で設定内容が切り替えて選択されたとして制御処理を実行する。このため、例えば、一方の第１位置に対する操作に毎に設定内容が降順で切り替わり、他方の第１位置に対する操作に毎に設定内容が昇順で切り替わるように予め定めることで、設定内容を所望の設定内容により素早く変更することができるため、操作性を一層向上させることができる。
【００１４】
また、請求項４記載の計測機器によれば、制御部が、表示部に表示された画像で構成された設定用ボタンにおける第１位置に対する操作がされたときに、その操作に対応付けて予め定められた設定内容を第２位置に表示させることにより、第１位置に対する操作によって選択（設定）されている設定内容を使用者に確実に把握させることができる。
【図面の簡単な説明】
【００１５】
【図１】波形表示装置１の構成を示すブロック図である。
【図２】波形表示装置１の正面図である。
【図３】波形表示装置１の動作を説明する第１の説明図である。
【図４】波形表示装置１の動作を説明する第２の説明図である。
【図５】波形表示装置１の動作を説明する第３の説明図である。
【図６】波形表示装置１の動作を説明する第４の説明図である。
【図７】波形表示装置１の動作を説明する第５の説明図である。
【図８】波形表示装置１の動作を説明する第６の説明図である。
【図９】波形表示装置１０１の正面図である。
【発明を実施するための形態】
【００１６】
以下、計測機器の実施の形態について、添付図面を参照して説明する。
【００１７】
最初に、計測機器の一例としての波形表示装置１の構成について、図面を参照して説明する。図１に示す波形表示装置１は、同図に示すように、計測処理部１１、記録部１２、表示処理部１３、タッチパネル１４、操作パネル１５および制御部１６を備えて構成されている。
【００１８】
計測処理部１１は、電気信号Ｓ１（一例として電圧信号）を入力して計測処理（サンプリング処理）を実行し、電気信号Ｓ１についての波形データＤ１を出力する。記録部１２は、制御部１６の制御に従い、計測処理部１１から出力された波形データＤ１を記録する。表示処理部１３は、表示用画像データＤ２をタッチパネル１４に出力することにより、タッチパネル１４に各種の画像を表示させる表示処理を実行する。
【００１９】
タッチパネル１４は、一例として、表示部として機能する液晶パネルと、液晶パネルの表面に配置されて操作部の一部として機能するタッチセンサとを備えて構成されている。また、タッチパネル１４は、表示処理部１３から出力される表示用画像データＤ２に基づく各種の画像を表示する。具体的には、タッチパネル１４は、電気信号Ｓ１の波形を示す波形画像Ｇ１（図５参照）を表示する。
【００２０】
また、タッチパネル１４は、計測処理部１１によって実行される計測処理、および表示処理部１３によって実行される表示処理に際して設定すべき設定内容（例えば、計測処理に関する設定内容としてのサンプリングレートや、表示処理に関する設定内容としての表示倍率）を設定するためのボタン画像Ｇ２（図２，４参照）を表示する。
【００２１】
この場合、ボタン画像Ｇ２は、図２に示すように、一例として、横長の長方形の形状をなし、第１位置の一例としての左側の端部４１ａには、上記した設定内容を降順で切り替えるための下向きの矢印の図形が表示され、ボタン画像Ｇ２における第１位置の他の一例としての右側の端部４１ｂ（以下、端部４１ａ，４１ｂを区別しないときには「端部４１」ともいう）には、設定内容を昇順で切り替えるための上向きの矢印の図形が表示されている。また、ボタン画像Ｇ２における第２位置の一例としての中央部４２には、選択されている設定内容が表示される。
【００２２】
さらに、タッチパネル１４は、ボタン画像Ｇ２の中央部４２に対するタッチ操作（操作の一例）がされたときに、上記した設定内容を一覧で示してその中から任意の設定内容を選択させるための選択用画像Ｇ３（図３，８参照）を表示する。
【００２３】
操作パネル１５は、図２に示すように、電源スイッチ３１、記録モードキー３２、波形表示モードキー３３、記録開始キー３４、記録終了キー３５、カーソルキー３６および決定キー３７などの各種のスイッチやキーを備えて構成されている。この場合、これらのスイッチやキーとタッチパネル１４のタッチセンサとによって操作部が構成される。
【００２４】
制御部１６は、操作パネル１５の各スイッチやキーに対する操作、およびボタン画像Ｇ２に対するタッチ操作に従い、計測処理部１１、記録部１２および表示処理部１３を制御する制御処理を実行する。具体的には、制御部１６は、記録モードキー３２に対する操作によって記録モードが選択されたときには、表示処理部１３を制御して電気信号Ｓ１をサンプリング処理する際のサンプリングレートを設定するための（サンプリングレート設定用の）ボタン画像Ｇ２（図２参照）をタッチパネル１４に表示させ、波形表示モードキー３３に対する操作によって波形表示モードが選択されたときには、表示処理部１３を制御して波形画像Ｇ１を表示させる際の表示倍率を設定するための（表示倍率設定用の）ボタン画像Ｇ２（図４参照）をタッチパネル１４に表示させる。
【００２５】
また、制御部１６は、ボタン画像Ｇ２の中央部４２に対するタッチ操作がされたときには、表示処理部１３を制御して上記した選択用画像Ｇ３をタッチパネル１４に表示させ、さらに、カーソルキー３６および決定キー３７の操作によって選択用画像Ｇ３内に表示されている設定内容の１つが選択されたときには、その設定内容（選択用画像Ｇ３を用いて選択された設定内容）に基づいて計測処理部１１による計測処理および表示処理部１３による表示処理を制御する。
【００２６】
また、制御部１６は、ボタン画像Ｇ２の端部４１に対するタッチ操作がされたときには、そのタッチ操作に対応付けて予め定められた設定内容が選択されたとして、その設定内容に基づいて計測処理部１１に対して計測処理を実行させると共に表示処理部１３に対して表示処理を実行させる。また、制御部１６は、計測処理部１１から出力された波形データＤ１を記録部１２に記録させる。
【００２７】
次に、波形表示装置１の使用方法の一例、およびその際の波形表示装置１の動作について、図面を参照して説明する。
【００２８】
まず、電気信号Ｓ１を記録する際には、操作パネル１５の記録モードキー３２を操作して、記録モードを選択する。この際に、制御部１６が、表示処理部１３に対してサンプリングレート設定用のボタン画像Ｇ２の表示を指示する制御処理を実行する。これに応じて、表示処理部１３は、ボタン画像Ｇ２を表示させる表示用画像データＤ２をタッチパネル１４に出力する。これにより、図２に示すように、サンプリングレート設定用のボタン画像Ｇ２がタッチパネル１４に表示される。
【００２９】
次いで、サンプリングレートを選択して設定する。この場合、例えば、選択可能なサンプリングレート（この波形表示装置１において予め用意されているサンプリングレート）が不明なときには、ボタン画像Ｇ２の中央部４２をタッチ操作する。この際に、制御部１６は、表示処理部１３に対してサンプリングレートを選択させるための選択用画像Ｇ３の表示を指示する制御処理を実行する。これに応じて、表示処理部１３は、選択用画像Ｇ３を表示させる表示用画像データＤ２をタッチパネル１４に出力する。これにより、図３に示すように、選択用画像Ｇ３がボタン画像Ｇ２の下部に連続するようにしてタッチパネル１４に表示される。この場合、設定すべき設定内容としての「サンプリングレート」を示す文字、および初期設定されている（デフォルトの）サンプリングレートの値（この例では、５００ＭＳ／ｓ）を示す文字がボタン画像Ｇ２の中央部４２に表示される。
【００３０】
続いて、カーソルキー３６および決定キー３７を操作して、選択用画像Ｇ３に表示されている各サンプリングレートの中から所望のサンプリングレート（一例として、１ＧＳ／ｓ）を選択する。次いで、制御部１６は、計測処理部１１に対して、選択されたサンプリングレートでの電気信号Ｓ１の計測処理（サンプリング処理）の開始を指示する。これに応じて、計測処理部１１が計測処理を行って波形データＤ１を出力し、制御部１６が波形データＤ１を記録部１２に記録させる。
【００３１】
ここで、この波形表示装置１では、上記した選択用画像Ｇ３を用いることなく（表示させることなく）、所望のサンプリングレートを設定（変更）することが可能となっている。具体的には、例えば、選択可能なサンプリングレートを使用者が既に把握しているときには、ボタン画像Ｇ２の端部４１ａまたは端部４１ｂに対するタッチ操作を行う。
【００３２】
この場合、例えば、サンプリングレートとして、１００ＭＳ／ｓ、２００ＭＳ／ｓ、５００ＭＳ／ｓ、１ＧＳ／ｓおよび２ＧＳ／ｓの５つが予め用意されており、端部４１ａに対するタッチ操作に応じて各サンプリングレートが降順で切り替わり、かつ端部４１ｂに対するタッチ操作に応じて各サンプリングレートが昇順で切り替わるように定められているときに、初期設定されているサンプリングレートである５００ＭＳ／ｓから１ＧＳ／ｓに設定を変更するときには、端部４１ｂに対するタッチ操作を１回だけ行う。
【００３３】
この際に、制御部１６は、サンプリングレートが５００ＭＳ／ｓから１ＧＳ／ｓに切り替えて選択されたと判別して、計測処理部１１に対して、選択されたサンプリングレートでの電気信号Ｓ１の計測処理（サンプリング処理）の開始を指示し、これに応じて、計測処理部１１が計測処理を行って波形データＤ１を出力し、制御部１６が波形データＤ１を記録部１２に記録させる。
【００３４】
このように、この波形表示装置１では、選択可能なサンプリングレートを使用者が既に把握しているときには、ボタン画像Ｇ２の端部４１ａまたは端部４１ｂに対するタッチ操作を行うことで、サンプリングレートの設定を短時間で行うことが可能となっている。
【００３５】
続いて、電気信号Ｓ１の記録を終了する際には、操作パネル１５の記録終了キー３５を操作する。これに応じて、制御部１６は、計測処理部１１に対して、計測処理の停止を指示する。
【００３６】
次に、記録部１２に記録した波形データＤ１に基づく電気信号Ｓ１の波形画像Ｇ１を表示させる際には、操作パネル１５の波形表示モードキー３３を操作する。この際に、制御部１６は、表示処理部１３に対して表示倍率設定用のボタン画像Ｇ２の表示を指示する制御処理を実行する。これに応じて、表示処理部１３は、ボタン画像Ｇ２を表示させる表示用画像データＤ２をタッチパネル１４に出力する。これにより、図４に示すように、表示倍率設定用のボタン画像Ｇ２がタッチパネル１４に表示される。この場合、設定すべき設定内容としての「表示倍率」を示す文字、および初期設定されている（デフォルトの）表示倍率の値（この例では、１倍）を示す文字がボタン画像Ｇ２の中央部４２に表示される。
【００３７】
この場合、上記した初期設定の表示倍率で表示させるときには、例えば波形表示モードキー３３を再度操作する。この際に、制御部１６は、表示処理部１３に対して初期設定の表示倍率（この例では１倍）での波形画像Ｇ１の表示を指示する。これに応じて、表示処理部１３は、記録部１２に記録されている波形データＤ１に基づいて表示用画像データＤ２を生成して、タッチパネル１４に出力する。これにより、図５に示すように、タッチパネル１４に波形画像Ｇ１が１倍の表示倍率で表示される。
【００３８】
次いで、表示倍率を変更するときには、ボタン画像Ｇ２に対するタッチ操作を行う。ここで、例えば、選択可能な表示倍率（この波形表示装置１において予め用意されている表示倍率）を使用者が既に把握しているときには、ボタン画像Ｇ２の端部４１ａまたは端部４１ｂに対するタッチ操作を行う。
【００３９】
この場合、例えば、表示倍率として、１／４倍、１／２倍、１倍、２倍および４倍の５つが予め用意されており、端部４１ａに対するタッチ操作に応じて各表示倍率が降順で切り替わり、かつ端部４１ｂに対するタッチ操作に応じて各表示倍率が昇順で切り替わるように定められているときに、初期設定されている表示倍率である１倍から１／２倍に設定を変更するときには、端部４１ａに対するタッチ操作を１回だけ行う。
【００４０】
この際に、制御部１６は、表示倍率が１倍から１／２倍に切り替えて選択されたと判別して、表示処理部１３に対して新たに選択された１／２倍での波形画像Ｇ１の表示を指示する。これに応じて、表示処理部１３は、波形データＤ１に基づき、波形画像Ｇ１を１／２倍の大きさで表示させる表示用画像データＤ２を生成して、タッチパネル１４に出力する。これにより、図６に示すように、タッチパネル１４に波形画像Ｇ１が１／２倍の表示倍率で表示される。
【００４１】
次に、例えば、表示倍率を１／２倍から２倍に変更するときには、端部４１ｂに対するタッチ操作を２回行う。この際に、制御部１６は、表示倍率が１／２倍から２倍に切り替えて選択されたと判別して、表示処理部１３に対して新たに選択された２倍での波形画像Ｇ１の表示を指示する。これに応じて、表示処理部１３は、波形データＤ１に基づき、波形画像Ｇ１を２倍の大きさで表示させる表示用画像データＤ２を生成して、タッチパネル１４に出力する。これにより、図７に示すように、タッチパネル１４に波形画像Ｇ１が２倍の表示倍率で表示される。
【００４２】
このように、この波形表示装置１では、選択可能な表示倍率を使用者が既に把握しているときには、ボタン画像Ｇ２の端部４１ａまたは端部４１ｂに対するタッチ操作を行うことで、表示倍率の設定を短時間で行うことが可能となっている。
【００４３】
一方、選択可能な表示倍率が不明なときには、図８に示すように、表示倍率設定用のボタン画像Ｇ２の中央部４２をタッチ操作する。この際に、制御部１６は、表示処理部１３に対して表示倍率を選択させるための選択用画像Ｇ３の表示を指示する制御処理を実行する。これに応じて、表示処理部１３は、選択用画像Ｇ３を表示させる表示用画像データＤ２をタッチパネル１４に出力する。これにより、同図に示すように、表示倍率選択用の選択用画像Ｇ３がボタン画像Ｇ２の下部に連続するようにしてタッチパネル１４に表示される。
【００４４】
次いで、カーソルキー３６および決定キー３７を操作して、選択用画像Ｇ３に表示されている各表示倍率の中から所望の表示倍率を選択する。続いて、制御部１６は、計測処理部１１に対して、選択された表示倍率での波形画像Ｇ１の表示を指示する制御処理を実行し、これに応じて、表示処理部１３は、波形画像Ｇ１を選択された表示倍率の大きさで表示させる表示用画像データＤ２を生成して、タッチパネル１４に出力する。これにより、タッチパネル１４に波形画像Ｇ１が選択された表示倍率で表示される。
【００４５】
このように、この波形表示装置１では、制御部１６が、計測処理部１１によって実行される計測処理や表示処理部１３によって実行される表示処理に際して設定すべき設定内容を設定するための設定用ボタンとしてのボタン画像Ｇ２における端部４１に対する操作がされたときに、その操作に対応付けて予め定められた設定内容が選択されたとして計測処理部１１および記録部１２に対する制御処理を実行する。このため、この波形表示装置１では、例えば、選択可能な設定内容を使用者が既に把握しているときには、選択可能な設定内容を示す選択用画像Ｇ３を表示させて、その中から所望の設定内容をカーソルキー３６や決定キー３７を操作して選択するという面倒な操作を行うことなく、端部４１に対する１回または数少ない回数の操作で所望の設定内容を直接選択することができる。したがって、この波形表示装置１によれば、このような場合における計測処理や表示処理に関する設定内容を短時間で設定することができる。
【００４６】
また、この波形表示装置１では、制御部１６が、ボタン画像Ｇ２の中央部４２に対する操作がされたときに、選択可能な設定内容を示す選択用画像Ｇ３を表示処理部１３に対してタッチパネル１４に表示させる。このため、この波形表示装置１によれば、選択可能な設定内容を使用者が把握していない場合であっても、必要とされる設定内容を確実に設定することができる。
【００４７】
また、この波形表示装置１では、制御部１６が、ボタン画像Ｇ２の端部４１に対する操作がされる度に予め定められた順序で設定内容が切り替えて選択されたとして制御処理を実行する。このため、この波形表示装置１によれば、例えば、端部４１に対する操作がされる度に、昇順または降順で設定内容が切り替わるように予め定めることで、端部４１に対する操作を行う度に、設定内容を徐々に大きくまたは徐々に小さく設定することができるため、設定内容を所望の設定内容に変更する際の操作性を十分向上させることができる。
【００４８】
また、この波形表示装置１では、制御部１６が、ボタン画像Ｇ２における２つの端部４１ａ，４１ｂの一方に対する操作がされる度に予め定められた順序で設定内容が切り替えて選択されたとして制御処理を実行し、２つの端部４１ａ，４１ｂの他方に対する操作がされる度に予め定められた順序とは逆の順序で設定内容が切り替えて選択されたとして制御処理を実行する。このため、例えば、一方の端部４１ａに対する操作に毎に設定内容が降順で切り替わり、他方の端部４１ｂに対する操作に毎に設定内容が昇順で切り替わるように予め定めることで、設定内容を所望の設定内容により素早く変更することができるため、操作性を一層向上させることができる。
【００４９】
また、この波形表示装置１によれば、制御部１６が、ボタン画像Ｇ２の端部４１ａ，４１ｂに対する操作がされたときにその操作に対応付けて予め定められた設定内容をボタン画像Ｇ２の中央部４２に表示させることにより、端部４１ａ，４１ｂに対する操作によって選択（設定）されている設定内容を使用者に確実に把握させることができる。
【００５０】
なお、表示部として機能すると共に、ボタン画像Ｇ２に対する操作（タッチ操作）が可能な（操作部の一部として機能する）タッチパネル１４を採用した例について上記したが、表示機能とボタン画像Ｇ２に対する操作機能とを分離した構成を採用することもできる。具体的には、表示部として、液晶パネルを採用し、ボタン画像Ｇ２に対する操作を行う操作部としてポインティングデバイス（例えば、マウス）やカーソルキーを用いる構成を採用することもできる。また、別体にした表示部に（表示部を備えずに、外部の表示部に）波形画像Ｇ１、ボタン画像Ｇ２および選択用画像Ｇ３などの各種の画像を表示する構成を採用することもできる。
【００５１】
また、横長の長方形のボタン画像Ｇ２を採用した例について上記したが、ボタン画像Ｇ２の形状やデザインは任意に変更することができる。また、２つの端部４１ａ，４１ｂを第１位置として規定した（定めた）例について上記したが、第１位置を１つだけに規定することもできる。この場合、第１位置を１つだけに規定したときには、その第１位置に対する操作がされる度に選択可能な設定内容を昇順（または降順）で循環して切り替える構成を採用することができる。さらに、上記の例では、１つのボタン画像Ｇ２だけを表示させているが、複数種類の設定内容にそれぞれ対応する複数のボタン画像Ｇ２を表示させる構成を採用することもできる。
【００５２】
また、タッチパネル１４に表示されたボタン画像Ｇ２を設定用ボタンとして機能させる構成例について上記したが、図９に示すように、例えば、操作パネル１５に設定用ボタン３８（現実の操作ボタン）を設けた波形表示装置１０１を採用することもできる。この場合、波形表示装置１０１では、設定用ボタン３８の中央部５２対する操作（押圧操作やタッチ操作）がされたときには、選択用画像Ｇ３が表示され、設定用ボタン３８の端部５１ａまたは端部５１ｂに対する操作がされたときには、その操作に対応付けて予め定められた設定内容が選択されたとして、その設定内容に基づいて計測処理部１１に対する制御処理および表示処理部１３に対する制御処理が行われる。
【００５３】
また、電気信号Ｓ１としての電圧信号を入力して計測処理を実行すると共に、その波形画像Ｇ１を表示する表示処理を実行する例について上記したが、これに限定されず、電流や温度などの各種の物理量の時間変化を示す電気信号Ｓ１を入力して計測処理および表示処理を実行することができる。また、計測機器の一例としての波形表示装置１に適用した例について上記したが、検査装置や測定装置などの各種の計測機器に適用することができる。
【符号の説明】
【００５４】
１，１０１  波形表示装置
１１  計測処理部
１３  表示処理部
１４  タッチパネル
１５  操作パネル
１６  制御部
３８  設定用ボタン
４２，５２  中央部
４１ａ，４１ｂ，５１ａ，５１ｂ  端部
Ｇ１  波形画像
Ｇ２  ボタン画像
Ｇ３  選択用画像
Ｓ１  電気信号
【図１】
2011106854.tif 000003
【図２】
2011106854.tif 000004
【図３】
2011106854.tif 000005
【図４】
2011106854.tif 000006
【図５】
2011106854.tif 000007
【図６】
2011106854.tif 000008
【図７】
2011106854.tif 000009
【図８】
2011106854.tif 000010
【図９】
2011106854.tif 000011